(57)【特許請求の範囲】
【請求項１】
押出成形セメント板の端部とサッシ縦枠との間に縦方向に沿って設けられるシール材を、前記押出成形セメント板の端部に縦方向に形成された空洞部又は凹部に沿って装着されて支持するシール材受けカバーであって、
該シール材受けカバーは、
前記サッシ縦枠との隙間に嵌装された前記シール材が当接する平板状の閉蓋部を有し、
該閉蓋部の一端部が前記押出成形セメント板の室外側の外側端部に至って延設されると共に、前記一端部には前記外側端部との間に挟持される外側止水材が接着固定され、
前記閉蓋部の他端部は、前記押出成形セメント板の室内側の内側端部に至って延設されると共に、該内側端部との間に挟持される内側止水材が接着固定され、
さらに他端部には、前記内側端部の外壁面に沿って延出する延出部が折曲して連接されていること
を特徴とするシール材受けカバー。
【請求項２】
外側止水材は、その一部に前記空洞部側又は凹部側に延出する延出部分を有すること
を特徴とする請求項１に記載のシール材受けカバー。
【請求項３】
押出成形セメント板の端部とサッシ縦枠との間に縦方向に沿って設けられるシール材を、前記押出成形セメント板の端部に縦方向に形成された空洞部に沿って装着されて支持するシール材受けカバーであって、
該シール材受けカバーは、
前記サッシ縦枠との隙間に嵌装された前記シール材が当接する平板状の閉蓋部を有し、
該閉蓋部の一端部が前記押出成形セメント板の室外側の外側端部に至って延設され且つ段部を備え、該段部には前記外側端部との間に挟持される外側止水材が接着固定され、
前記閉蓋部の他端部は、前記押出成形セメント板の室内側の内側端部に至って延設され、さらに他端部は、前記内側端部の外壁面に沿って延出する延出部が折曲して連接され、
前記他端部から前記延出部に渡って、前記内側端部及び前記外壁面に挟持される内側止水材が接着固定されていること
を特徴とするシール材受けカバー。
【請求項４】
押出成形セメント板の端部とサッシ縦枠との間に縦方向に沿って設けられるシール材を、前記押出成形セメント板の端部に縦方向に形成された空洞部に沿って装着されて保持するシール材受けカバーであって、
該シール材受けカバーは、
前記サッシ縦枠との隙間に嵌装する前記シール材を保持する平板状の閉蓋部を有し、
該閉蓋部の一端部が前記押出成形セメント板の室外側の外側端部に至って延設されると共に、前記一端部には前記外側端部との間に挟持される外側止水材が接着固定され、
前記閉蓋部の他端部は、前記押出成形セメント板の室内側の内側端部に至って延設されると共に、該内側端部との間に挟持される内側止水材が接着固定され、
さらに他端部には、前記内側端部の外壁面に沿って延出する延出部が折曲して連接されていること
を特徴とするシール材受けカバー。
【請求項５】
押出成形セメント板の端部とサッシ縦枠との間に縦方向に沿って設けられるシール材を、前記押出成形セメント板の端部に縦方向に形成された空洞部に沿って装着されて保持するシール材受けカバーであって、
該シール材受けカバーは、
前記サッシ縦枠との隙間に嵌装する前記シール材を保持する平板状の閉蓋部を有し、
該閉蓋部の一端部が前記押出成形セメント板の室外側の外側端部に至って延設され且つ段部を備え、該段部には前記外側端部との間に挟持される外側止水材が接着固定され、
前記閉蓋部の他端部は、前記押出成形セメント板の室内側の内側端部に至って延設され、さらに他端部は、前記内側端部の外壁面に沿って延出する延出部が折曲して連接され、
前記他端部から前記延出部に渡って、前記内側端部及び前記外壁面に挟持される内側止水材が接着固定されていること
を特徴とするシール材受けカバー。
【発明の詳細な説明】
【技術分野】
【０００１】
本発明は、押出成形セメント板の横張り工法あるいは縦張り工法において、当該押出成形セメント板の端部のサッシ開口縦枠の空洞部又は凹部に沿って取り付けて、押出成形セメント板とサッシ縦枠との隙間に嵌装するシール材を受けるシール材受けカバーに関するものである。
【背景技術】
【０００２】
まず、押出成形セメント板の横張り工法における、サッシ周りの施工手順について、図１６及び図１７を参照しながら説明する。
（１）サッシ下部の押出成形セメント板１ａを建て込み、サッシ側部の押出成形セメント板１を建て込み、サッシ上部の押出成形セメント板１ｂを建て込む。押出成形セメント板１の端部６には空洞部２が所定の間隔を開けて連続的に形成されている（図１６参照）。
（２）サッシ開口周りに開口補強材３を取り付ける。
（３）空洞部２にバックアップ材４を嵌装してから、樹脂モルタル５を充填する（図１７参照）。
（４）樹脂モルタル５を乾燥養生する。
（５）サッシ取付工事を行い、サッシ周りシーリング工事を行う。
【０００３】
以上のような手順で施工される押出成形セメント板１の端部６とサッシ縦枠７との間には、図１７に示すように、隙間部８を有し、この隙間部８には、室外Ａ側に一次シール材９が嵌装され、室内Ｂ側に二次シール材１０とバックアップ材１０ａとが嵌装される。二次シール材１０は、空洞部２内の樹脂モルタル５に対して当接させることで、当該部分の止水を図っている。
【０００４】
なお、特開平５−５９７７０号公報には、開口部におけるサッシ周囲の水密構造が開示されている（特許文献１参照）。
【先行技術文献】
【特許文献】
【０００５】
【特許文献１】特開平５−５９７７０号公報
【発明の概要】
【発明が解決しようとする課題】
【０００６】
この従来例の場合においては、空洞部２に樹脂モルタル５を充填するための施工手間が掛かるだけでなく、樹脂モルタル５の乾燥養生期間が必要である。従って、押出成形セメント板を用いた工法のメリットである工程短縮の特徴が生かされていないという問題点を有している。
【０００７】
従って、従来例における場合においては、施工手間を減らして工程を短縮し、生産性を向上させることに解決しなければならない課題を有している。
【課題を解決するための手段】
【０００８】
前記従来例の課題を解決するための本発明の要旨は、押出成形セメント板の端部とサッシ縦枠との間に縦方向に沿って設けられるシール材を、前記押出成形セメント板の端部に縦方向に形成された空洞部又は凹部に沿って装着されて支持するシール材受けカバーであって、該シール材受けカバーは、前記サッシ縦枠との隙間に嵌装された前記シール材が当接する平板状の閉蓋部を有し、該閉蓋部の一端部が前記押出成形セメント板の室外側の外側端部に至って延設されると共に、前記一端部には前記外側端部との間に挟持される外側止水材が接着固定され、前記閉蓋部の他端部は、前記押出成形セメント板の室内側の内側端部に至って延設されると共に、該内側端部との間に挟持される内側止水材が接着固定され、さらに他端部には、前記内側端部の外壁面に沿って延出する延出部が折曲して連接されていることである。
【０００９】
そして、外側止水材は、その一部に前記空洞部側又は凹部側に延出する延出部分を有すること、；
を含むものである。
【００１０】
また、本発明の要旨は、押出成形セメント板の端部とサッシ縦枠との間に縦方向に沿って設けられるシール材を、前記押出成形セメント板の端部に縦方向に形成された空洞部に沿って装着されて支持するシール材受けカバーであって、該シール材受けカバーは、前記サッシ縦枠との隙間に嵌装された前記シール材が当接する平板状の閉蓋部を有し、該閉蓋部の一端部が前記押出成形セメント板の室外側の外側端部に至って延設され且つ段部を備え、該段部には前記外側端部との間に挟持される外側止水材が接着固定され、前記閉蓋部の他端部は、前記押出成形セメント板の室内側の内側端部に至って延設され、さらに他端部は、前記内側端部の外壁面に沿って延出する延出部が折曲して連接され、前記他端部から前記延出部に渡って、前記内側端部及び前記外壁面に挟持される内側止水材が接着固定されていることである。
【００１１】
そして、本発明の要旨は、押出成形セメント板の端部とサッシ縦枠との間に縦方向に沿って設けられるシール材を、前記押出成形セメント板の端部に縦方向に形成された空洞部に沿って装着されて保持するシール材受けカバーであって、該シール材受けカバーは、前記サッシ縦枠との隙間に嵌装する前記シール材を保持する平板状の閉蓋部を有し、該閉蓋部の一端部が前記押出成形セメント板の室外側の外側端部に至って延設されると共に、前記一端部には前記外側端部との間に挟持される外側止水材が接着固定され、前記閉蓋部の他端部は、前記押出成形セメント板の室内側の内側端部に至って延設されると共に、該内側端部との間に挟持される内側止水材が接着固定され、さらに他端部には、前記内側端部の外壁面に沿って延出する延出部が折曲して連接されていることである。
【００１２】
更に、本発明の要旨は、押出成形セメント板の端部とサッシ縦枠との間に縦方向に沿って設けられるシール材を、前記押出成形セメント板の端部に縦方向に形成された空洞部に沿って装着されて保持するシール材受けカバーであって、該シール材受けカバーは、前記サッシ縦枠との隙間に嵌装する前記シール材を保持する平板状の閉蓋部を有し、該閉蓋部の一端部が前記押出成形セメント板の室外側の外側端部に至って延設され且つ段部を備え、該段部には前記外側端部との間に挟持される外側止水材が接着固定され、前記閉蓋部の他端部は、前記押出成形セメント板の室内側の内側端部に至って延設され、さらに他端部は、前記内側端部の外壁面に沿って延出する延出部が折曲して連接され、前記他端部から前記延出部に渡って、前記内側端部及び前記外壁面に挟持される内側止水材が接着固定されていることである。
【発明の効果】
【００１３】
本発明に係るシール材受けカバーによれば、押出成形セメント板の空洞部又は凹部に、従来例のような樹脂モルタルを充填する施工手間が必要なくなり、また、樹脂モルタルの乾燥養生期間が必要ないので、作業工程が短縮されて生産性が向上するという優れた効果を奏する。
【００１４】
また、外側止水材は、その一部に前記空洞部側又は凹部側に延出する延出部分を有することによって、この延出部分が外側端部から空洞部又は凹部にピッタリと沿ってはみ出すので止水性能がさらに一段と向上するという優れた効果を奏する。
【図面の簡単な説明】
【００１５】
【図１】（イ）本発明の第１実施例に係るシール材受けカバー１１の斜視図である。（ロ）同横断面図である。
【図２】シール材受けカバー１１を横張りの押出成形セメント板１に装着したサッシ開口縦枠の横断面図である。
【図３】シール材受けカバー１１を横張りの押出成形セメント板１に装着したサッシ開口縦枠を示す斜視図である。
【図４】押出成形セメント板１の縦張り工法におけるサッシ周りの斜視図である。
【図５】シール材受けカバー１１を縦張りの押出成形セメント板１に装着したサッシ開口縦枠の横断面図である。
【図６】シール材受けカバー１１を縦張りの押出成形セメント板１に装着したサッシ開口縦枠を示す斜視図である。
【図７】（ハ）本発明の第２実施例に係るシール材受けカバー３１の斜視図である。（ニ）同横断面図である。
【図８】シール材受けカバー３１を横張りの押出成形セメント板１に装着したサッシ開口縦枠の横断面図である。
【図９】シール材受けカバー３１を横張りの押出成形セメント板１に装着したサッシ開口縦枠を示す斜視図である。
【図１０】（ホ）本発明の第３実施例に係るシール材受けカバー４１の斜視図である。（ヘ）同横断面図である。
【図１１】シール材受けカバー４１を横張りの押出成形セメント板１に装着したサッシ開口縦枠の横断面図である。
【図１２】シール材受けカバー４１を横張りの押出成形セメント板１に装着したサッシ開口縦枠を示す斜視図である。
【図１３】（ト）本発明の第４実施例に係るシール材受けカバー５１の斜視図である。（チ）同横断面図である。
【図１４】シール材受けカバー５１を横張りの押出成形セメント板１に装着したサッシ開口縦枠の横断面図である。
【図１５】シール材受けカバー５１を横張りの押出成形セメント板１に装着したサッシ開口縦枠を示す斜視図である。
【図１６】押出成形セメント板１の横張り工法におけるサッシ周りの斜視図である。
【図１７】従来例に係るサッシ開口縦枠の横断面図である。
【発明を実施するための形態】
【００１６】
次に、本発明の実施の形態について図面を参照しながら詳細に説明する。なお、理解を容易にするため、従来例に対応する部分には従来例と同一の符号を付けて説明する。
【実施例１】
【００１７】
まず、図１に示した第１実施例において、符号１１はシール材受けカバーを示し、このシール材受けカバーは、図２及び図３に示すように、押出成形セメント板１の端部６に縦方向に形成された空洞部２に沿って装着して、当該押出成形セメント板１とサッシ縦枠７との隙間部８に嵌装される二次シール材１０を当接させる。押出成形セメント板１は、横張り工法によって横長に配設されている。
【００１８】
シール材受けカバー１１は、二次シール材１０が当接する平板状の閉蓋部１２を有し、閉蓋部１２の一端部１２ａが押出成形セメント板１の室外Ａ側の外側端部１３に至って延設される。また、一端部１２ａには、外側端部１３との間に挟持される雨水侵入防止用の外側止水材１４が縦方向に沿って接着固定される。
閉蓋部１２の他端部１２ｂは、押出成形セメント板１の室内Ｂ側の内側端部１５に至って延設される。また、他端部１２ｂには、内側端部１５との間に挟持される雨水侵入防止用の内側止水材１６が縦方向に沿って接着固定される。更に、他端部１２ｂには、内側端部１５の外壁面１７に沿って延出する延出部１８が折曲して連接される。
【００１９】
閉蓋部１２の一端部１２ａから他端部１２ｂ及び延出部１８は、厚さが０．４ｍｍ程度の溶融メッキ鋼板で一体に形成される。また、外側止水材１４と内側止水材１６とは、ブチル系ゴム材又は合成樹脂材等の弾性材で形成される。
【００２０】
外側止水材１４は、その一部に空洞部２側に延出する延出部分１４ａを有する（図２参照）。この延出部分１４ａが外側端部１３から空洞部２にピッタリと沿ってはみ出すので止水性能がさらに一段と向上する。
【００２１】
このような構成のシール材受けカバー１１は、図２に示すように、外側止水材１４と内側止水材１６とを、それぞれ押出成形セメント板１の外側端部１３と内側端部１５とに接着固定して取り付ける。
【００２２】
押出成形セメント板１の端部６とサッシ縦枠７との間には隙間部８が形成され、この隙間部８には、室外Ａ側に一次シール材９とバックアップ材９ａとが嵌装され、室内Ｂ側に二次シール材１０とバックアップ材１０ａとが嵌装される。バックアップ材９ａは閉蓋部１２の一端部１２ａに当接させる。また、二次シール材９は閉蓋部１２に当接させて、当該部分の止水を図っている。
【００２３】
次に、押出成形セメント板１の横張り工法における、シール材受けカバー１１を用いたサッシ周りの施工手順について、図２及び図３を参照しながら説明する。（ａ）押出成形セメント板１を建て込んでから、（ｂ）シール材受けカバー１１の外側止水材１４と内側止水材１６とを、押出成形セメント板１の外側端部１３と内側端部１５とにそれぞれ接着固定して取り付ける。シール材受けカバー１１は、定尺長さが約２ｍ程度であり、作業現場において、端部６の縦方向の長さに合わせて切断する。そして、（ｃ）サッシ縦枠７を取り付け、（ｄ）隙間部８にバックアップ材１０ａと二次シール材１０とを嵌装させると共に、二次シール材１０を閉蓋部１２に当接させる。（ｅ）更に、隙間部８にバックアップ材９ａと一次シール材９を嵌装する。
【００２４】
次に、押出成形セメント板１の縦張り工法における、シール材受けカバー１１を用いたサッシ周りの施工手順について、図４から図６を参照しながら説明する。
【００２５】
まず、（ｆ）押出成形セメント板１を縦長に建て込む。押出成形セメント板１は、長手方向に沿った一方の端部に図示しない凸部が形成され、他方の端部に凹部１９が形成されている。（ｇ）シール材受けカバー１１の外側止水材１４と内側止水材１６とを、押出成形セメント板１の外側端部２０と内側端部２１とにそれぞれ接着固定して取り付ける。そして、（ｈ）サッシ枠縦７を取り付け、（ｉ）隙間部８にバックアップ材１０ａと二次シール材１０とを嵌装させると共に、二次シール材１０を閉蓋部１２に当接させる。（ｊ）更に、隙間部８にバックアップ材９ａと一次シール材９を嵌装する。
【００２６】
このように縦張り工法においても、押出成形セメント板１の凹部１９に樹脂モルタル５を充填する施工手間が必要なくなり、樹脂モルタル５の乾燥養生期間が必要ないので、作業工程が短縮される。
【実施例２】
【００２７】
次に、図７から図９に第２実施例を示す。この第２実施例において、前記第１実施例と同一部分には同一符号を付してその詳細は省略する。
【００２８】
シール材受けカバー３１は、二次シール材１０が当接する平板状の閉蓋部３２を有し、閉蓋部３２の一端部３２ａが押出成形セメント板１の室外Ａ側の外側端部１３に至って延設され、且つ段部３３を備えている。段部３３には外側端部１３との間に挟持される雨水侵入防止用の外側止水材３４が縦方向に沿って接着固定される。
閉蓋部３２の他端部３２ｂは、押出成形セメント板１の室内側の内側端部１５に至って延設され、更に、他端部３２ｂには、内側端部１５の外壁面１７に沿って延出する延出部３５が折曲して連接される。
そして、他端部３２ｂから延出部３５に渡って、内側端部１５及び外壁面１７に挟持される雨水侵入防止用の内側止水材３７が縦方向に沿って接着固定される。
【００２９】
閉蓋部３２の段部３３から他端部３２ｂ及び延出部３５は、厚さが０．４ｍｍ程度の溶融メッキ鋼板で一体に形成される。外側止水材３４は、エチレン・プロピレンゴム（ＥＰＤＭ）のスポンジタイプのものが用いられる。外側止水材３４の中心部には、孔部３６が形成されており、この孔部３６の存在によって弾性が良好となり、止水性能を向上させている。また、内側止水材３７は、薄手のブチル系ゴム材又は合成樹脂材等の弾性材で形成される。
【００３０】
このような構成のシール材受けカバー３１は、図８に示すように、外側止水材３４と内側止水材３７とを、それぞれ押出成形セメント板１の外側端部１３と内側端部１５とに接着固定して取り付ける。
【実施例３】
【００３１】
次に、図１０から図１２に第３実施例を示す。この第３実施例において、前記第１実施例と同一部分には同一符号を付してその詳細は省略する。
【００３２】
シール材受けカバー４１は、平板状の閉蓋部４３を有し、閉蓋部４３は二次シール材１０の役目を果たす成型シール材４２を接着によって保持している。閉蓋部４３の一端部４３ａは、押出成形セメント板１の室外Ａ側の外側端部１３に至って延設される。また、一端部４３ａには、外側端部１３との間に挟持される雨水侵入防止用の外側止水材４４が縦方向に沿って接着固定される。
閉蓋部４３の他端部４３ｂは、押出成形セメント板１の室内Ｂ側の内側端部１５に至って延設される。また、他端部４３ｂには、内側端部１５との間に挟持される雨水侵入防止用の内側止水材４５が縦方向に沿って接着固定される。更に、他端部４３ｂには、内側端部１５の外壁面１７に沿って延出する延出部４６が折曲して連接される。
【００３３】
閉蓋部４３の一端部４３ａから他端部４３ｂ及び延出部４６は、厚さが０．４ｍｍ程度の溶融メッキ鋼板で一体に形成される。成型シール材４２は、エチレン・プロピレンゴム（ＥＰＤＭ）のスポンジタイプのものが用いられる。成型シール材４２の中心部には、孔部４７が形成されており、この孔部４７の存在によって弾性が良好となり、止水性能を向上させている。また、外側止水材４４と内側止水材４５とは、ブチル系ゴム材又は合成樹脂材等の弾性材で形成される。
【００３４】
外側止水材４４は、その一部に空洞部２側に延出する延出部分４４ａを有する。この延出部分４４ａが外側端部１３から空洞部２にピッタリと沿ってはみ出すので止水性能がさらに一段と向上する。
【００３５】
このような構成のシール材受けカバー４１は、図１１に示すように、外側止水材４４と内側止水材４５とを、それぞれ押出成形セメント板１の外側端部１３と内側端部１５とに接着固定して取り付ける。
【実施例４】
【００３６】
次に、図１３から図１５に第４実施例を示す。この第４実施例において、前記第１実施例と同一部分には同一符号を付してその詳細は省略する。
【００３７】
シール材受けカバー５１は、平板状の閉蓋部５３を有し、閉蓋部５３は二次シール材１０の役目を果たす成型シール材５２を接着によって保持している。閉蓋部５３の一端部５３ａは、押出成形セメント板１の室外Ａ側の外側端部１３に至って延設され、且つ段部５４を備えている。段部５４には外側端部１３との間に挟持される雨水侵入防止用の外側止水材５５が縦方向に沿って接着固定されている。
閉蓋部５３の他端部５３ｂは、押出成形セメント板１の室内側の内側端部１５に至って延設され、更に、他端部５３ｂには、内側端部１５の外壁面１７に沿って延出する延出部５６が折曲して連接される。
そして、他端部５３ｂから延出部５６に渡って、内側端部１５及び外壁面１７に挟持される内側止水材５９が接着固定される。
【００３８】
閉蓋部５３の段部５４から他端部５３ｂ及び延出部５６は、厚さが０．４ｍｍ程度の溶融メッキ鋼板で一体に形成される。成型シール材５２及び外側止水材５５は、エチレン・プロピレンゴム（ＥＰＤＭ）のスポンジタイプのものが用いられる。成型シール材５２の中心部には、孔部５７が形成されており、この孔部５７の存在によって弾性が良好となり、止水性能を向上させている。外側止水材５５の中心部にも、孔部５８が形成されており、この孔部５８の存在によって弾性が良好となり、止水性能を向上させている。また、内側止水材５９は、薄手のブチル系ゴム材又は合成樹脂材等の弾性材で形成される。
【００３９】
このような構成のシール材受けカバー５１は、図１４に示すように、外側止水材５５と内側止水材５９とを、それぞれ押出成形セメント板１の外側端部１３と内側端部１５とに接着固定して取り付ける。
【符号の説明】
【００４０】
Ａ    室外
Ｂ    室内
１、１ａ、１ｂ  押出成形セメント板
２    空洞部
３    開口補強材
４    バックアップ材
５    樹脂モルタル
６    端部
７    サッシ縦枠
８    隙間部
９    一次シール材
９ａ  バックアップ材
１０  二次シール材
１０ａ  バックアップ材
１１  シール材受けカバー
１２  閉蓋部
１２ａ  一端部
１２ｂ  他端部
１３  外側端部
１４  外側止水材
１４ａ  延出部分
１５  内側端部
１６  内側止水材
１７  外壁面
１８  延出部
１９  凹部
２０  外側端部
２１  内側端部
３１  シール材受けカバー
３２  閉蓋部
３２ａ  一端部
３２ｂ  他端部
３３  段部
３４  外側止水材
３５  延出部
３６  孔部
３７  内側止水材
４１  シール材受けカバー
４２  成型シール材
４３  閉蓋部
４３ａ  一端部
４３ｂ  他端部
４４  外側止水材
４４ａ  延出部分
４５  内側止水材
４６  延出部
４７  孔部
５１  シール材受けカバー
５２  成型シール材
５３  閉蓋部
５３ａ  一端部
５２ｂ  他端部
５４  段部
５５  外側止水材
５６  延出部
５７、５８  孔部
５９  内側止水材
【図１】
0005753484.tif 000002
【図２】
0005753484.tif 000003
【図３】
0005753484.tif 000004
【図４】
0005753484.tif 000005
【図５】
0005753484.tif 000006
【図６】
0005753484.tif 000007
【図７】
0005753484.tif 000008
【図８】
0005753484.tif 000009
【図９】
0005753484.tif 000010
【図１０】
0005753484.tif 000011
【図１１】
0005753484.tif 000012
【図１２】
0005753484.tif 000013
【図１３】
0005753484.tif 000014
【図１４】
0005753484.tif 000015
【図１５】
0005753484.tif 000016
【図１６】
0005753484.tif 000017
【図１７】
0005753484.tif 000018